(57)【要約】【課題】  中間調表示の高速化および安定化が可能な電気泳動表示装置の駆動方法を提供する。【解決手段】  第１ステップにおいて、所定間隙を開けた状態に配置される一対の基板１，２の一方に設けられた第１電極１０２と、一対の基板１，２の間に配置された隔壁部材３に設けられた第２電極１０１，１０３の間に電位差を発生させよう第１電極１０２、第２電極１０１，１０３及び一対の基板の他方に設けられた第３電極１０４に電圧を印加することにより、帯電粒子Ｐが第１電極１０２と第２電極１０１，１０３の間を移動するようにする。そして、第２ステップにおいて、第３電極１０４と第１電極１０２、及び第３電極１０４と第２電極１０１，１０３との間に電位差を発生させるよう第１電極１０２、第２電極１０１，１０３及び第３電極１０４に電圧を印加するにより、帯電粒子Ｐに第１電極１０２または第２電極１０１，１０３に向かう力を与えるようにする。【選択図】      図１
2006284918.tif 000002
【特許請求の範囲】
【請求項１】
所定間隙を開けた状態に配置される一対の基板と、前記一対の基板の間に配置された隔壁部材と、前記一対の基板と前記隔壁部材とに囲まれた空間に配された帯電粒子と、前記一対の基板の一方に設けられた第１電極と、前記一対の基板の一方又は前記隔壁部材に設けられた第２電極と、前記一対の基板の他方に設けられた第３電極とを備え、前記第１電極、前記第２電極及び前記第３電極間に生じる電界により前記帯電粒子の分布を変化させて表示を行う電気泳動表示素子を具備した電気泳動表示装置の駆動方法において、
前記第１電極と前記第２電極の間に電位差を発生させ、前記帯電粒子が前記第１電極と前記第２電極の間を移動するよう前記第１電極、前記第２電極及び前記第３電極に電圧を印加する第１ステップと、
前記第１電極と前記第３電極、及び前記第２電極と前記第３電極との間に電位差を発生させ、前記第１電極と前記第２電極の間にある前記帯電粒子に前記第１電極または前記第２電極に向かう力を与えるよう前記第１電極、前記第２電極及び前記第３電極に電圧を印加する第２ステップと、
を備えたことを特徴とする電気泳動表示装置の駆動方法。
【請求項２】
前記帯電粒子に与えた移動方向の力をゼロとするよう前記第１電極の電位と前記第２電極の電位と前記第３電極の電位とを同じにする第３ステップを備えたことを特徴とする請求項１記載の電気泳動表示装置の駆動方法。
【請求項３】
前記第１ステップにおいて、前記帯電粒子が正帯電の場合には前記第３電極の電位を前記第１電極の電位以上とし、負帯電の場合には前記第３電極の電位を前記第１電極の電位と同じ、又はそれ以下とすることを特徴とする請求項１又は２記載の電気泳動表示装置の駆動方法。
【請求項４】
階調表示を行う場合には、前記第１ステップにおいて前記第１電極と前記第２電極の間に電位差を生じさせる時間を表示階調に応じて変化させることを特徴とする請求項１乃至３のいずれか１項に記載の電気泳動表示装置の駆動方法。
【請求項５】
前記第１ステップの前にリセット動作を設け、前記第１電極と前記第２電極の間に電位差を生じさせる時間を前記リセット動作が終了したときを基準に変化させることを特徴とする請求項４記載の電気泳動表示装置の駆動方法。
【請求項６】
前記第１ステップの前にリセット動作を設け、前記第１電極と前記第２電極の間に電位差を生じさせる時間を前記リセット動作が終了してから所定時間内に変化させることを特徴とする請求項４記載の電気泳動表示装置の駆動方法。
【請求項７】
階調表示を行う場合には、前記第１ステップにおいて前記第１電極と前記第２電極の間の電位差を表示階調に応じて変化させることを特徴とする請求項１乃至３のいずれか１項に記載の電気泳動表示装置の駆動方法。
【請求項８】
前記第２ステップにおいて、前記帯電粒子が正帯電の場合には前記第３電極の電位を前記第１電極の電位及び前記第２電極の電位以上とし、負帯電の場合には前記第３電極の電位を前記第１電極の電位及び前記第２電極の電位以下とすることを特徴とする請求項１乃至７のいずれか１項に記載の電気泳動表示装置の駆動方法。
【請求項９】
前記第３ステップにおいて、前記第２ステップの際、前記第３電極に印加した電圧を所定の時定数により減少させ、前記帯電粒子に与えた移動方向の力をゼロにすることを特徴とする請求項２記載の電気泳動表示装置の駆動方法。
【請求項１０】
前記所定の時定数は、イオンの移動による電界の緩和と同程度か、それよりも大きい時定数であることを特徴とする請求項９記載の電気泳動表示装置の駆動方法。
【請求項１１】
前記電気泳動表示素子を駆動する駆動部を備え、前記電気泳動表示素子を前記駆動部により、前記請求項１乃至１０のいずれか１項に記載の駆動方法によって駆動することを特徴とする電気泳動表示装置の駆動方法。
【請求項１２】
前記駆動部は、マトリクス状に配置され、前記第１電極に電圧を印加する複数の薄膜トランジスタを備えていることを特徴とする請求項１１記載の電気泳動表示装置の駆動方法。
【発明の詳細な説明】
【技術分野】
【０００１】
本発明は、電気泳動表示装置の駆動方法に関し、特に階調表示を行う際の駆動方法に関する。
【背景技術】
【０００２】
近年、情報機器の発達に伴い、各種情報のデータ量は拡大の一途をたどり、情報の出力も様々な形態を持ってなされている。一般に、情報の出力は、ブラウン管や液晶などを用いたディスプレイ表示とプリンタなどによる紙へのハードコピー表示とに大別できる。ここで、ディスプレイ表示においては、低消費電力且つ薄型の表示装置のニーズが増しており、中でも液晶表示装置は、こうしたニーズに対応できる表示装置として活発な開発が行われ商品化されている。
【０００３】
しかしながら、現在の液晶表示装置は、画面を見る角度や反射光により、画面上の文字が見づらく、また光源のちらつき、低輝度等から生じる視覚へ負担が未だ十分に解決されていない。また、ブラウン管を用いたディスプレイ表示では、コントラストや輝度は液晶表示と比較して十分あるものの、ちらつきが発生するなど後述するハードコピー表示と比較して十分な表示品位があるとはいえない。また装置が大きく重いため携帯性が極めて低い。
【０００４】
一方、ハードコピー表示は情報の電子化により不要になるものと考えられていたが、実際には依然膨大な量のハードコピー出力が行われている。その理由として、情報をディスプレイ表示した場合、前述した表示品位に係わる問題点に加えて、その解像度も一般的には最大でも１２０ｄｐｉ程度と紙へのプリント・アウト（通常３００ｄｐｉ以上）と比較して相当に低い。従って、ディスプレイ表示ではハードコピー表示と比較して視覚への負担が大きくなる。
【０００５】
その結果、ディスプレイ上で確認可能であっても、一旦ハードコピー出力することがしばしば行われることになる。また、ハードコピーされた情報は、ディスプレイ表示のように表示領域がディスプレイのサイズに制限されることなく、多数並べたり、また複雑な機器操作を行わずに並べ替えたり、順に確認していくことができることも、ディスプレイ表示可能であってもハードコピー表示が併用される大きな理由である。
【０００６】
さらには、ハードコピー表示は、表示を保持するためのエネルギーは不要であり、情報量が極端に大きくない限り、何時でもどこでも情報を確認することが可能であるという優れた携帯性を有する。このように、動画表示や頻繁な書き換えなどが要求されない限り、ハードコピー表示はディスプレイ表示と異なる様々な利点を有するが、その一方、紙を大量に消費するという欠点がある。
【０００７】
そこで、近年においては、視認性の高い画像の記録・消去サイクルが多数回可能であり、表示の保持にエネルギーを必要としない記録媒体であるリライタブル記録媒体の開発が盛んに進められている。なお、こうしたハードコピーの持つ特性を継承した書き換え可能な第３の表示装置はペーパーライクディスプレイと呼ばれる。また、このペーパーライクディスプレイの必要条件は、書き換えが可能であること、表示の保持にエネルギーを要さないか若しくは十分に小さいこと、即ちメモリー性を有すること、携帯性に優れること、表示品位が優れていること等である。
【０００８】
ここで、現在、ペーパーライクディスプレイとみなせる表示装置としては、例えばサーマルプリンターヘッドで記録・消去する有機低分子・高分子樹脂マトリックス系を用いた可逆表示媒体を用いたものを挙げることができる（例えば、特許文献１、２参照。）。しかし、この表示装置は一部プリペイドカードの表示部分として利用されているが、コントラストが余り高くないことや、記録・消去の繰り返し回数が１５０〜５００回程度と比較的少ないなどの課題を有している。
【０００９】
また別のペーパーライクディスプレイとして利用可能な表示装置として、Ｈａｒｏｌｄ  Ｄ．Ｌｅｅｓ等により発明された電気泳動表示装置が知られている（例えば、特許文献３参照。）。
【００１０】
この電気泳動表示装置は、絶縁性液体中に電気泳動性を有する着色された帯電粒子を分散させてなる分散系と、この分散系を挟持する上下方向に対向して配された一対の基板と、この一対の基板に設けられた電極とを備えた電気泳動表示素子を具備しており、このような電気泳動表示素子においては、電極を介して分散系に電圧を印加することにより、帯電粒子の電気泳動性によって帯電粒子を粒子自身が持つ電荷と反対極性の電極側にクーロン力により吸着させるようにしている。
【００１１】
そして、この電気泳動表示素子では、表示は、この帯電粒子の色と染色された絶縁性液体の色の違いを利用して行われる。例えば、帯電粒子を観測者に近い光透過性の第１電極表面に吸着させた場合には帯電粒子の色が観察され、逆に観測者から遠い第２電極表面に吸着させた場合には、帯電粒子と光学的特性が異なるように染色された絶縁性液体の色が観察される。
【００１２】
しかしながら、このように帯電粒子を対向配置された電極間を移動させることにより表示を行う電気泳動表示素子（以下、垂直移動型の電気泳動表示素子という）では、絶縁性液体に染料やイオンなどの発色材を混合しなくてはならず、このような発色材の存在は、新たな電荷の授受をもたらすことから電気泳動動作において不安定要因として作用しやすく、表示装置としての性能や寿命、安定性を低下させる場合があった。
【００１３】
そこで、従来は、このような問題を解決するために、第１電極及び第２電極からなる電極対を同一基板上に配置し、観察者から見て着色された帯電粒子を水平に移動させることにより表示を行う電気泳動表示素子を備えた電気泳動表示装置が提案されている（例えば、特許文献４参照）。
【００１４】
ここで、このような着色帯電粒子を水平に移動させる電気泳動表示素子（以下、水平移動型の電気泳動表示素子という）を備えた従来の電気泳動表示装置の駆動方法としては、第１電極及び第２電極に電圧を印加することにより、着色した帯電粒子を絶縁性液体中で第１電極面及び第２電極面間を、基板面と水平に移動させるようにしている。
【００１５】
そして、このように帯電粒子を移動させて帯電粒子の分布を変化させることにより、表示を行うものである。なお、このような水平移動型の電気泳動表示素子においては、絶縁性液体が透明である場合が多く、観察者側から見て、第１電極と第２電極が異なる着色を呈し、いずれか一方の色を帯電粒子の色と一致させている。例えば、第１電極の色を黒色、第２電極の色を白色、帯電粒子の色を黒色とすると、帯電粒子が第１電極上に分布する場合には、第２電極が露出し白色を呈し、帯電粒子が第２電極上に分布する場合には帯電粒子の色である黒色を呈する。
【００１６】
【特許文献１】特開昭５５−１５４１９８号公報
【特許文献２】特開昭５７−８２０８６号公報
【特許文献３】米国特許ＵＳＰ３６１２７５８号公報
【特許文献４】特開平９−２１１４９９号公報
【発明の開示】
【発明が解決しようとする課題】
【００１７】
しかし、このような従来の水平移動型の電気泳動表示素子においては、着色された帯電粒子が電極から電極へ移動して電極面を覆うことが必要になるため、一般には帯電粒子の移動距離は垂直移動型の電気泳動表示素子よりも長い。加えて、第１電極と第２電極を同一基板上に配置している場合、取り巻く空間における局所的な電界強度に差が生じ、場所により帯電粒子の移動に違いが現れる。
【００１８】
即ち、帯電粒子の帯電量が変わらない場合、従来の電気泳動表示装置の駆動方法においては、強い電界によって速い泳動を示す部分と弱い電界によってゆっくりした泳動を示す部分が生じてしまうことになる。そして、このように電界強度の小さな部分における帯電粒子の移動速度低下は、表示速度低下と階調表示の安定性低下を引き起こす。
【００１９】
例えば図２０に示したものは、既述した特許文献４に見られる水平移動型の電気泳動表示素子（セル）の一つの画素における電界分布を概念的に示した図であり、第１電極２０１と第２電極２０２にはそれぞれ異なった電圧Ｖ１，Ｖ２が印加されている。
【００２０】
ここで、このように第１及び第２電極２０１，２０２にそれぞれ異なった電圧Ｖ１，Ｖ２を印加した場合、図２０に示すように両電極２０１，２０２の近接領域Ｂほど大きな電界が生じる反面、画素の中心部に近い領域Ａほど電界が小さく、かつ場合によってはセルから外にはみ出した電界が生じている。この結果、この領域Ａ付近では帯電粒子に働く力が小さくなり、この領域Ａ付近に分布している帯電粒子は動きが遅くなる。
【００２１】
したがって、このセル構成では画素中心付近で、かつ第１電極２０１上にある帯電粒子を第２電極２０２に移動させるためには大きな電界をかける必要がある。そして、例えば、第１電極２０１上にすべての帯電粒子が存在している状態である黒表示状態から中間調を表示させる場合、帯電粒子にある程度の高速性を持たせるために大きな電圧をかけると、画素内のほぼすべての帯電粒子が電気力線に沿って舞上がる。この後、ある中間調に応じた量の帯電粒子を、それに応じた時間で第２電極２０２に回収することにより中間調が表示される。
【００２２】
ところが、駆動を終了すると、回収されていない帯電粒子は画素内に浮遊している状況になる。ここで、この状態で第１電極２０１の上部にある帯電粒子の個数に大きな変化がない場合には階調は安定して表示できるが、実際には浮遊している帯電粒子は重力の影響、絶縁膜のわずかな帯電の影響、絶縁性液体中の空間電荷分布によって生じる内部電界等により、駆動終了後にその中間調は変化していく。したがって、長期間安定して中間調を保持するためには、帯電粒子が浮遊している状況は好ましくない。
【００２３】
そこで、本発明は、このような現状に鑑みてなされたものであり、中間調表示の高速化および安定化が可能な電気泳動表示装置の駆動方法を提供することを目的とするものである。
【課題を解決するための手段】
【００２４】
本発明は、所定間隙を開けた状態に配置される一対の基板と、前記一対の基板の間に配置された隔壁部材と、前記一対の基板と前記隔壁部材とに囲まれた空間に配された帯電粒子と、前記一対の基板の一方に設けられた第１電極と、前記一対の基板の一方又は前記隔壁部材に設けられた第２電極と、前記一対の基板の他方に設けられた第３電極とを備え、前記第１電極、前記第２電極及び前記第３電極間に生じる電界により前記帯電粒子の分布を変化させて表示を行う電気泳動表示素子を具備した電気泳動表示装置の駆動方法において、前記第１電極と前記第２電極の間に電位差を発生させ、前記帯電粒子が前記第１電極と前記第２電極の間を移動するよう前記第１電極、前記第２電極及び前記第３電極に電圧を印加する第１ステップと、前記第１電極と前記第３電極、及び前記第２電極と前記第３電極との間に電位差を発生させ、前記第１電極と前記第２電極の間にある前記帯電粒子に前記第１電極または前記第２電極に向かう力を与えるよう前記第１電極、前記第２電極及び前記第３電極に電圧を印加する第２ステップと、を備えたことを特徴とするものである。
【発明の効果】
【００２５】
本発明のように、第１ステップにおいて帯電粒子が第１電極と第２電極の間を移動するようにし、第２ステップにおいて第３電極と第１電極、及び第３電極と第２電極との間に電位差を発生させるよう第１電極、第２電極及び第３電極に電圧を印加することによって帯電粒子に第１電極または第２電極に向かう力を与えるようにすることにより、中間調表示の高速化および安定化が可能となる。
【発明を実施するための最良の形態】
【００２６】
以下、図面を参照して、本発明を実施するための最良の形態について説明する。
【００２７】
図１は、本発明の第１の実施の形態に係る電気泳動表示装置の駆動方法により駆動される電気泳動表示装置に具備される電気泳動表示素子の概略構成を示す図であり、図１に示すように、この電気泳動表示素子は、所定間隙を空けた状態に配置された一対の基板である観察者側の第１基板である透明基板１及び対向側の第２基板である電極基板２と、これらの基板１，２の間に配置され、基板１，２の間隙を一定に保持するための隔壁部材である隔壁３と、基板１，２と隔壁３に囲まれた空間内に充填された透明な絶縁性液体である分散媒１１０と、分散媒１１０に分散された複数の微小粒子である帯電粒子の一例としての着色帯電粒子Ｐと、を備えている。
【００２８】
なお、この電気泳動表示素子は、基板上にマトリクス配置した画素を有するものであり、隔壁３は隣接する画素間での着色帯電粒子Ｐの移動を防止する機能を併せ持っている。
【００２９】
また、電極基板２上には第１電極である表示電極１０２が、また隔壁３には第１電極１０２と異なる電圧が印加される第２電極であるコレクト電極１０１，１０３が設けられており、これら表示電極１０２及びコレクト電極１０１，１０３によって着色帯電粒子Ｐの空間分布を制御する電場を形成することにより、着色帯電粒子Ｐを表示電極１０２とコレクト電極１０１，１０３との間で移動させることができる。
【００３０】
ここで、本実施の形態では、着色帯電粒子Ｐの色は黒色、表示電極１０２の色は白色であり、着色帯電粒子Ｐが点線で示すコレクト電極側の位置にあるとき、電気泳動表示素子は表示電極１０２の白色を画素の色として表示し、また着色帯電粒子Ｐが表示電極１０２上にあるときには、表示電極１０２を覆い隠すことによって黒色を画素の色として表示させることが可能である。なお、本実施の形態においては、着色帯電粒子Ｐの色は黒色、表示電極１０２の色は白色としているが、着色帯電粒子Ｐ及び表示電極１０２の色としては、表示に必要な色を用いることができる。
【００３１】
また、図１において、１０９は封止層で、セルを密閉するのに十分な強度を持つプラスティックフィルムを用いている。また、１０５〜１０８は、表示電極１０２及びコレクト電極１０１，１０３の表面に配された絶縁性を有する薄い絶縁膜であり、このような絶縁膜１０５〜１０８を配することにより、金属表面と分散媒１１０とが直接接触し、電圧が印加されることによって発生する着色帯電粒子Ｐ、分散媒１１０等の電気化学的変化を防ぐことができる。
【００３２】
さらに、この薄膜１０５〜１０８によって電流を制限することが可能となる。ここで、後述する電気泳動表示装置の駆動方法では、着色帯電粒子Ｐに電界が印加されることが必要であって、電流を流すことは必要ではないため、これら絶縁性の薄膜１０５〜１０８は駆動に影響を与えない。
【００３３】
ところで、本実施の形態における水平移動型の電気泳動表示素子は、透明な分散媒内を着色帯電粒子Ｐが移動し、着色帯電粒子Ｐの分布が変化することにより白、又は黒を表示すると共に、表示電極１０２の表面を覆う着色帯電粒子Ｐの割合を変化させた場合に見え方が異なることを利用して中間調表示を行なうものである。このことから、表示電極１０２をいかに効率よく着色帯電粒子Ｐによって覆うことができるかが、このタイプの表示装置の性能を左右する。
【００３４】
ここで、このようなタイプの表示素子は、既述した図２０に示すような電界分布となった場合、既述したように図２０に示すＡ領域に浮遊している粒子は経時的にも安定せず、表示電極２０１を効率よく覆うことは難しいが、粒子同士や、粒子と画素の内壁は、吸着力の効果等により、適当な距離接近すると凝集や吸着を起こすことから、粒子を内壁に移動させるようにすれば粒子を安定化することができる。つまり、粒子を内壁付近に運ぶことができれば、粒子が動かない安定した状態を形成することが可能となる。
【００３５】
そこで、本実施の形態においては、図１に示すように、表示電極１０２に対向させてＩＴＯ等で構成される透明な押付電極１０４を設け、この第３電極である押付電極１０４に電圧を付加して図２に示すように押付電極１０４と表示電極１０２の間および押付電極１０４とコレクト電極１０１,１０３の間に電界を生じさせることにより、画素中心付近に浮遊している着色帯電粒子Ｐを高速で表示電極１０２またはコレクト電極１０１,１０３上に移動させて安定化させるようにしている。
【００３６】
ここで、中間調表示を行うための最適な電圧についてはＶ３〜Ｖ５で決まるが、着色帯電粒子Ｐを押付電極１０４によって表示電極１０２に押し付けるため力（電気力線）は、Ｖ３＝Ｖ４とし、着色帯電粒子Ｐの帯電特性に応じてＶ５の固定電圧を印加することで発生させることができる。
【００３７】
次に、このように着色帯電粒子Ｐを表示電極１０２に押し付けるように駆動する電気泳動表示装置の駆動方法について説明する。
【００３８】
まず、最初に表示電極１０２に印加する電圧を制御することにより、着色帯電粒子Ｐを表示電極１０２に押し付けるように駆動する第１の駆動方法について図３及び図４を用いて説明する。
【００３９】
図３の（ａ）はコレクト電極１０１，１０３に対する表示電極１０２の電位変化、図３の（ｂ）は押付電極１０４の電位変化、図３の（ｃ）は画素の反射率を示している。なお、便宜上コレクト電極１０１，１０３の電位を０（Ｖ）とした。また、着色帯電粒子Ｐの帯電特性を正帯電とした。これにより、表示電極１０２に負の電圧を加えると、表示電極１０２上に着色帯電粒子Ｐを集めることができる。なお、着色帯電粒子Ｐを負帯電とした場合には、正の電圧を加えることによって表示電極１０２上に着色帯電粒子Ｐを集めることができる。
【００４０】
この駆動方法においては、図３の（ａ）に示すように、まず表示電極１０２に負の電圧を加えることにより、すべての着色帯電粒子Ｐを電極上に集め（黒リセット）、その後、中間調を書き込むようにしている。ここで、黒リセット時、押付電極１０４、コレクト電極１０１，１０３の電位を同電位０（Ｖ）とし、表示電極１０２の電位をマイナスとして低くする。これにより、電界は図４の（ａ）に示すようになり、この結果、黒色の着色帯電粒子Ｐが表示電極上に集まる。
【００４１】
次に、中間調を書き込む場合には、例えば第１ステップとして、表示電極１０２に、図３の（ａ）の（１）に示す押付電極１０４の電圧Ｖ５と同じ大きさの正の電圧Ｖ５を加え、押付電極１０４と表示電極１０２の電位を同電位としてコレクト電極１０１，１０３の電位よりも大きくすることにより、図４の（ｂ）に示すような電界分布を形成し、着色帯電粒子Ｐに矢印方向の力を与える。これにより、画素内の着色帯電粒子Ｐはコレクト電極方向に引き寄せられる。なお、画素内には多数の着色帯電粒子Ｐがあるが、図４では一つに着目して説明している。
【００４２】
次に、この正の電圧Ｖ５を一定時間印加した後、第２ステップとして、表示電極１０２の電位をコレクト電極１０１，１０３の電位と等しく設定し、押付電極１０４の電位を表示電極１０２及びコレクト電極１０１，１０３の電位よりも大きくすることにより、図２に示す電界分布が形成される。この結果、表示電極１０２とコレクト電極１０１，１０３の間を移動中で、画素内に浮遊していた着色帯電粒子Ｐは、その位置に応じて表示電極１０２またはコレクト電極１０１，１０３に押し付けられ、階調表示が安定化する。
【００４３】
なお、これまでは表示電極１０２と押付電極１０４の電位が同じ場合について述べてきたが、第１ステップにおいて、表示電極１０２に図３の（ａ）の（２）又は（３）に示すような押付電極１０４の電圧Ｖ５以下の正の電圧を加えた場合には、画素内の電界分布は図４の（ｃ）に示すようになる。この場合、コレクト電極１０１に近い着色帯電粒子Ｐａはコレクト電極方向に引き寄せられるが、表示電極１０２の中央部分のＢ領域にある着色帯電粒子Ｐｂは押付電極１０４の電圧が表示電極１０２の電圧よりも高いため、電極上に押付力が働き、動かない。
【００４４】
これは、言い換えればＢ領域には着色帯電粒子Ｐｂを表示電極１０２へ押し付ける方向の電界のみ働いており、着色帯電粒子Ｐｂを横に移動させる電界が発生していないことによる。ここで、電圧が低いほど着色帯電粒子Ｐａの移動速度は遅くなるため、図３の（ｃ）に示すように反射率の立ち上がりは、印加する電圧が大きい場合の（１）に比べ、（２）又は（３）は緩やかになる。また上記理由により動かない粒子も多くなってくる。
【００４５】
次に、一定時間経過後、電圧印加を止める。このとき、画素内にはコレクト電極１０１，１０３に集められた着色帯電粒子Ｐ、表示電極１０２の上方に漂っている着色帯電粒子Ｐ、表示電極１０２上に留まっている着色帯電粒子Ｐが存在するが、各々の量は電極間の電位差によって生じた電界の分布と強度に依存するために中間調が表示可能である。
【００４６】
この後、第２ステップとして、表示電極１０２の電位がコレクト電極１０１，１０３の電位に設定されると、押付電極１０４による押付電界が大きくなり、漂っている着色帯電粒子Ｐは表示電極１０２またはコレクト電極１０１，１０３上に集められる。この動作によって階調は高速に安定化される。即ち、図３の（ｃ）に示す（１）、（２）及び（３）のように安定した中間調の反射特性を維持することが可能になる。
【００４７】
つまり、第１ステップにおいて押付電極１０４の電位を表示電極１０２の電位以上とし、第２ステップにおいて押付電極１０４の電位を表示電極１０２の電位及びコレクト電極１０１，１０３の電位以上とすることにより、安定した中間調の反射特性を維持することが可能になる。
【００４８】
なお、これまでは着色帯電粒子Ｐが正帯電の場合について述べたが、着色帯電粒子Ｐが負帯電の場合には、第１ステップにおいて押付電極１０４の電位を表示電極１０２の電位と同じ、又はそれ以下とし、第２ステップにおいて押付電極１０４の電位を表示電極１０２の電位及びコレクト電極１０１，１０３の電位以下とすることにより、安定した中間調の反射特性を維持することが可能になる。
【００４９】
次に、パルス幅変調によって表示電極１０２に印加する電圧印加時間を制御することにより、着色帯電粒子Ｐを表示電極１０２に押し付けるように駆動する第２の駆動方法について図５を用いて説明する。
【００５０】
図５の（ａ）は表示電極１０２のコレクト電極１０１，１０３に対する電位を示しており、上矢印は表示信号の立ち上り、ａ、ｂ、ｃの位置での下矢印は表示信号の立下りを示す。なお、パルスの高さは＋Ｖである。ここでもコレクト電極１０１，１０３の電位を便宜上０と表した。
【００５１】
図５の（ｂ）は押付電極１０４の駆動信号であり、そのパルス高は電極と同じ＋Ｖである。そして、この場合、表示電極１０２、押付電極１０４に＋Ｖが印加されるタイミングでは、電界分布は既述した図４の（ａ）に示すようになる。なお、押付電極１０４の駆動信号の立ち上がりは表示電極１０２の立ち上がりに合わせる。
【００５２】
これにより、第１ステップである黒リセット後の書き込み開始時において、着色帯電粒子Ｐに働く上下方向の力はコレクト電極１０１，１０３と電極間、コレクト電極１０１，１０３と押付電極間に生じる電界によるもののみとなる。
【００５３】
図５の（ｃ）は、このときの反射率を示しており、反射率の立ち上がりはａ、ｂ、ｃともに同じ曲線を示すが、書き込み電圧の印加時間の幅がｔａ、ｔｂ、ｔｃと変化することによって曲線が緩やかになることから、立ち上りの曲線を利用して階調を表示することができる。
【００５４】
次に、一定時間、表示電極１０２に＋Ｖを印加した後、第２ステップとして表示電極１０２の電位をコレクト電極１０１，１０３と同じにすることにより、その瞬間に押付電極１０４による電極押し付け電界が生じ、これにより各階調表示の高速安定化を実現できる。
【００５５】
つまり、階調表示を行う場合には、第１ステップにおいて表示電極１０２とコレクト電極１０１，１０３の間に電位差を生じさせる時間を表示階調に応じて変化させることにより、各階調表示の高速安定化を実現できる。
【００５６】
なお、本駆動方法では、表示電極１０２とコレクト電極１０１，１０３の間に電位差を生じさせる時間をリセット動作が終了したときを基準に変化させるようにしたが、リセット動作が終了してから所定時間内に変化させるようにしても良い。
【００５７】
図６は、このように表示電極１０２とコレクト電極１０１，１０３の間に電位差を生じさせる時間をリセット動作が終了してから所定時間内に変化させるようにした第３の駆動方法を示すものであり、この駆動方法においては、図６に示すように、第１ステップとしてリセット後の書き込みパルスの立ち上がりを表示階調に応じてずらし、終了を一致させるようにしている。なお、図６において、（ａ）は階調表示をさせる場合の表示電極１０２の駆動波形、（ｂ）は押付電極１０４の駆動波形、（ｃ）は反射率を示している。なお、ここでもコレクト電極１０１，１０３の電位を便宜上０と表した。
【００５８】
ここで、（ａ）において、上矢印が各ａ、ｂ、ｃの階調表示を行なうために必要な電圧の立ち上り部であり、これらの各位置から立ち上がって下矢印で信号がゼロになるまでの間にコレクタ電極１０１，１０３に回収された着色帯電粒子Ｐに応じた階調ａ、ｂ、ｃが表示される。
【００５９】
この場合も、パルス幅がｔａ、ｔｂ、ｔｃのパルスを印加後、第２ステップとして、押付電極１０４による表示電極１０２への粒子押し付け電界を生じさせることにより、パルス幅に応じた階調状態を高速に安定表示することが可能となる。なお、この場合の押付電極１０４の電位の立ち上がりは、もっとも長いパルスの立ち上がりに合わせる必要がある。
【００６０】
次に、既述した第１の駆動方法と第２の駆動方法を組み合わせることにより、着色帯電粒子Ｐを表示電極１０２に押し付けるように駆動する第４の駆動方法について説明する。
【００６１】
既述したように着色帯電粒子Ｐを速く移動させるためには大きな電圧を印加し、大きな電界を発生させる必要があるが、印加時間制御の場合には、図６に示したように、反射率の立ち上がりの傾きが大きく、低い階調側を精度良く表示するためには非常に厳格な時間制御を行なわなければならない。一方、電圧制御による階調表示は、図３に示したように印加電圧が低いほど反射率の立ち上がりが緩やかになるために、時間制御が厳しい低階調側には非常に有利となる。
【００６２】
そこで、本駆動方法では、図７に示すような駆動波形を用いて駆動している。即ち、図７の（ａ）の波形において、低階調側を（１）のような波高値のパルスによってその幅だけを変化させて表示させるためには、非常に時間分解能の高いパルス幅制御を行なう必要があるが、（２）のような低い波高値のパルスにより表示するように制御すれば、コレクト電極への移動のための電界強度が小さくなるため、図７の（ｃ）の（２）に示すように反射率の立ち上がりが緩やかになる。
【００６３】
さらに、既述した黒リセットによる書き込み方法を用いた場合には、低階調側では着色帯電粒子Ｐの移動が少ないために速度についても有利である。即ち、コレクト電極１０１，１０３の近辺の電界の大きな領域にある着色帯電粒子Ｐのみコレクト電極に回収されれば良いため、着色帯電粒子Ｐの移動距離も、移動する着色帯電粒子Ｐの数も小さいことが有利に働いている。
【００６４】
次に、このような押付電極による効果を導入した平行移動型の電気泳動表示素子をマトリクスアレイ上に配置し、表示パネル化したアクティブマトリクス平行移動型の電気泳動表示装置について説明する。
【００６５】
図８は、このようなアクティブマトリクス平行移動型の電気泳動表示装置における画素の構成を説明する図である。
【００６６】
図８において、８０１、８０３はコレクタ電極であり、この装置おいては、このコレクタ電極８０１，８０３は各画素に対して共通であるため、以下、コモン電極と言う。８０４は押付電極、８０２は表示電極であり、薄膜トランジスタ８１１のドレイン電極に接続されている。なお、この薄膜トランジスタ８１１は、今日一般的なアクティブマトリクスによる液晶ディスプレイと同様にアモルファスシリコンやポリシリコンにより形成されている。
【００６７】
８１０は着色帯電粒子Ｐが分散されている分散媒、８０５〜８０８は電極８０１〜８０４と分散媒８１０を直接接触させないための薄い絶縁膜、８０９はセルを安定に保持するための封止層である上部層である。なお、図８においては、着色帯電粒子Ｐが表示電極８０２上に集まった場合の状態を示している。
【００６８】
また、図９は、１画素の等価回路図であり、一つの画素は横のゲートライン７０７と縦のソースライン７０８との交点に形成される。ここで、図９において、７００は電気泳動表示素子を駆動する駆動部である画素回路の１ブロック、７０１は薄膜トランジスタ（ＴＦＴ）であり、７０２は表示部の静電容量、７０３は補助容量である。
【００６９】
また、信号Ｖｔは押付電極駆動信号、７０４、７０５はそれぞれ表示電極と押付電極、コモン電極と押付電極間の静電容量を示している。Ｖｃｏｍはコモン電極の信号である。なお、このＶｃｏｍは固定であり駆動しないため、通常はゼロ電圧としておいても不都合はない。
【００７０】
以上のようなセットがｍ×ｎのマトリクス状に並ぶ。例えば図１０に示すものは、８×８画素のマトリクスパネルを示したもので、ソースドライブ回路９０１とソース線９０４、ゲートドライブ回路９０２とゲート線９０５を示してある。ここで、９０３は図９の回路７００に相当するブロックである。
【００７１】
ところで、図８に示す押付電極８０４は各画素毎にドライブできると表示に柔軟性を持たせることが可能であるが、実際には製作工程の複雑さや制御の煩雑さを増加させることから、押付電極８０４は各画素に共通にすることが求められる。
【００７２】
しかし、これによって作製の複雑さを回避することができる反面、押付電極８０４の駆動はすべての画素に影響を及ぼすことになる。そこで、このように共通とした押付電極８０４を一括駆動する場合においても十分な効果を得ることができるよう、本電気泳動表示装置では、その駆動方法として既述した印加時間制御による駆動方法を用いる。
【００７３】
そして、この駆動方式を用いれば押付動作を各画素同時に行なうことが可能となる。例えば、図１１は、駆動タイミング等の例を示すものであり、図１１において、Ｆはフレーム同期信号であり、各パルスは各フレームの先頭で出力される。
【００７４】
ＲＳＴ信号はリセット動作を行なうための制御信号であり、このＲＳＴ信号がオンになった時、ドレイン電圧ＶＤはリセットのための電圧となり、これに伴い反射率Ｒが黒（最低階調）にセットされる。ここで、このリセット電圧は少なくともＴＲ分、即ち、図１１においては、８フレーム分印加される。
【００７５】
そして、このようなリセット動作の後、第１ステップとして書き込みフレーム列ＴＷに入るが、指定パルス幅（Ｓ）を印加するために、はじめの数フレームはリセット電圧を印加しつづける。また、このように書き込みフレーム列ＴＷに入るタイミングと同時に押付電極８０４にもＰＵＳＨ信号が入力され、これにより押付電極８０４が駆動される。なお、このＰＵＳＨ信号の電位は、この後、表示電極８０２に印加される電位と同じである。
【００７６】
次に、書き込みフレーム列ＴＷの残りがＳフレーム分になったとき、第２ステップとしてドレイン電圧ＶＤを指定電圧ＶＧ分変化させる。それにより反射率Ｒが立ち上がる。なお、このときの表示電極８０２の電位は押付電極８０４の電位と同じであり、押付力は働かない。
【００７７】
この後、Ｓフレーム経過し、ＴＰフレーム列に入ると表示電極８０２の電位が下がる。そして、このように表示電極８０２の電位が下がると、押付電極８０４との電位差によって電極方向への押付力が生じ、着色帯電粒子Ｐが電極方向に高速に移動する。この後、押付電極８０４の駆動が終了しても材料特有の吸着力や凝集力により着色帯電粒子Ｐは電極近傍に安定に集合し、表示の安定性が実現される。
【００７８】
このように、第１ステップにおいて着色帯電粒子Ｐが表示電極１０２とコレクト電極１０１，１０３の間を移動するようにし、第２ステップにおいて表示電極１０２と押付電極１０４、及びコレクト電極１０１，１０３と押付電極１０４との間に電位差を発生させるようにすることによって着色帯電粒子Ｐに移動方向の力を与えるようにすることにより、中間調表示の高速化および安定化が可能となる。
【００７９】
ところで、粒子と壁、粒子と粒子の間に保持能力がある場合においても、押付電極と電極、押付電極とコレクト電極との間の電界により電荷の分布が生じている。例えば、帯電粒子と極性の異なる電荷を持つカウンターイオンやその他添加材料等が解離して生じるイオンによって特定のイオンが特定の電極に移動することによって、電荷の偏りが生じている。また、電極と分散媒との間にある誘電体膜などにも電荷の注入や誘電分極によって電荷の偏りが生じている。
【００８０】
このため、この状態で押付電極と表示電極の間の電位差を無くし、生じている電界を取り去ると、即ち押付電極と表示電極の電位を最後に等しくすると、セル内部は電荷の偏りによる分極によって内部電界が顕在化する場合がある。
【００８１】
図１２及び図１３は、内部に電荷の偏りが生じているとき電位の関係を説明する図である。なお、図１２及び図１３において、左側の電極は表示電極１０２、右側は押付電極１０４であり、両電極上にはある厚さの絶縁膜（誘電体）１０５，１０８が存在している。また、真中の層は分散媒、白丸に＋マークは帯電粒子、−マークは陰イオン、＋マークは陽イオン、矢印は電気力線を示している。
【００８２】
図１２の（ａ）は押付電極１０４に電圧を印加した直後の状態であり、このときは、印加直後なのでイオンや帯電粒子の移動は起こっていないため、分散媒中には内部電界が生じていない。このため、電位は、グラフのようにほぼ直線で電位が上昇している。
【００８３】
図１２の（ｂ）は、ある時間が経過し、帯電粒子とイオンが移動を終えたときの状態を示しており、この時、帯電粒子とイオンとにより生じる内部電界が外部電界の一部を打ち消すために分散媒中の電界強度が低下する。したがって、電位関係は、グラフに示すように、絶縁膜と分圧した形になる。
【００８４】
図１３は、この状態のとき、瞬時に押付電極１０４を表示電極１０２と同電位に落した直後の状態を示しており、このとき分散媒内では外部電界が消失するので空間電荷分極によって生じた内部電界が顕在化し、印加時とは逆の電界が発生する。ここで、両電極１０２，１０４は同電位になっているので、発生した内部電界による電圧は両電極上の絶縁膜に印加されることになる。このとき、顕在化した内部電界が帯電粒子の凝集力や吸着力よりも強い場合には、この内部電界によってイオンと一緒に帯電粒子も移動してしまうことになる。
【００８５】
なお、図１４は、このような移動が起こった場合の印加波形と光学応答を示すものであり、図１４の（ａ）は表示電極１０２に印加する波形を示しており、ｔ１〜ｔ２がリセット、ｔ２〜ｔ３が第１ステップにおける書き込み表示、ｔ２〜ｔ４が第２ステップにおける押し付け電圧印加時間である。図１４の（ｂ）は押付電圧の波形である。
【００８６】
図１４の（ｃ）は、内部電界が発生した場合の光学応答（反射率）を示しており、リセット時（ｔ１〜ｔ２）には帯電粒子の黒により反射率が低下し、第２ステップとして表示電極１０２に電圧Ｖｐが印加されると（ｔ２〜ｔ３）、白の明るさとなるが、帯電粒子に与えた移動方向の力をゼロとするよう表示電極１０２の電位とコレクト電極１０１，１０３の電位と押付電極１０４の電位とを同じにする第３ステップとして押付電極１０４の電圧をゼロに落とした瞬間（ｔ４）、画素の明るさが低下している。
【００８７】
これは、押付電極１０４と表示電極１０２との間で上記に示したような内部電界による影響が顕在化し、一旦は表示電極１０２に集められた帯電粒子が内部電界により画素内に放出された結果として生じる現象である。なお、以上のような現象は、帯電粒子の物性や壁の物性、表面構造、分散媒の特性、イオン量、駆動環境など、系を構成する様々な状況により、凝集力、内部電界の大きさ、吸着力、移動度が決定されるため、制御が難しく問題となっている。
【００８８】
ここで、イオンの移動度は帯電粒子の移動度よりも大きいため、外部電界をイオンが緩和できる程度にゆっくりと落とすことによって大きな内部電界が発生しないようにすることが可能であることから、例えば第３ステップにおいて押し付け電界を所定の時定数をもって減少させることにより、このような内部電界の影響を減少させることができる。
【００８９】
次に、このように押し付け電界を所定の時定数をもって減少させるようにした本発明の第２の実施の形態について説明する。
【００９０】
図１５は、表示電極１０２に印加する電圧を制御することにより、着色帯電粒子Ｐを表示電極１０２に押し付けるように駆動するようにした電気泳動表示装置の第１の駆動方法における波形を示すものである。ここで、図１５の（ａ）はコレクト電極１０１，１０３に対する表示電極１０２の電位変化、図１５の（ｂ）は押付電極１０４の電位変化、図１５の（ｃ）は画素の反射率を示している。
【００９１】
なお、図１５の（ａ）に示すコレクト電極１０１，１０３に対する表示電極１０２の電位変化は、既述した図３に示した駆動方法における表示電極１０２の電位変化と同じである。また、便宜上コレクト電極１０１，１０３の電位を０（Ｖ）とした。
【００９２】
そして、この駆動方法においては、第３ステップにおいて図１５の（ｂ）に示すように、押付電極３０４に印加した電圧ＶＰを所定の時定数に応じた所定の傾きでゆっくり落とし、その間にイオンを動かすことで、内部電界の大きさを着色帯電粒子Ｐの移動が生じる程大きく顕在化させないようにしている。これにより、着色帯電粒子Ｐが移動することはなくなり、設定した明るさを保持することができる。
【００９３】
また、図１６は、電圧印加時間を制御することにより、着色帯電粒子Ｐを表示電極１０２に押し付けるように駆動する第２の駆動方法における波形を示すものである。ここで、図１６の（ａ）はコレクト電極１０１，１０３に対する表示電極１０２の電位変化、図１６の（ｂ）は押付電極１０４の電位変化、図１６の（ｃ）は画素の反射率を示している。
【００９４】
そして、このような駆動方法においても、第３ステップにおいて図１６の（ｂ）に示すように押付電極に印加した電位＋Ｖを所定の時定数に応じた、所定の傾きでおとすことによって、押し付け電界を消失させるときに生じる内部電界の表示への影響を除去できる。
【００９５】
図１７は、電圧印加時間を制御することにより階調表示を行う第３の駆動方法を示すものであり、この駆動方法においては、図１７に示すように、リセット後の書き込みパルスの立ち上がりを表示階調に応じてずらし、終了を一致させるようにしている。なお、図１７において、（ａ）は階調表示をさせる場合の表示電極１０２の駆動波形、（ｂ）は押付電極１０４の駆動波形、（ｃ）は反射率を示している。なお、ここでもコレクト電極１０１，１０３の電位を便宜上０と表した。
【００９６】
そして、このような駆動方法においても、第３ステップにおいて図１７の（ｂ）に示すように押付電極に印加した電位＋Ｖを所定の時定数に応じた、所定の傾きでおとすことによって押し付け電界を消失させるときに生じる内部電界の表示への影響を除去できる。
【００９７】
図１８は、既述した第１の駆動方法と第２の駆動方法を組み合わせることにより、着色帯電粒子Ｐを表示電極１０２に押し付けるように駆動する第４の駆動方法を示すものであり、この駆動方法においても、第３ステップにおいて図１８の（ｂ）に示すように印加終了後、押付電極の電位をゼロに戻す際に所定の傾きで落とすことによって、押し付け電界を消失させるときに生じる内部電界の表示への影響を除去できる。
【００９８】
また、平行移動型電気泳動表示素子をマトリクスアレイ上に配置し表示パネル化したアクティブマトリクス平行移動型の電気泳動表示装置においても、第３ステップにおいて押付電圧の印加を終了するが、その際、内部電界の発生とそれによる表示の乱れを回避するため、図１９に示すように、ＰＵＳＨ電圧をｔ５〜ｔ６の間、Ｇ時間をある傾きで押付電極８０４に印加した電圧を減衰させる。なお、図１９において、図１１と同一符号は、同一又は相当部分を示している。
【００９９】
なお、この減衰の期間は押付動作の行なわれるＴＰのフレーム列の最後に置かれ、ＴＦＴはオンの状態を保つ。これにより、ゆっくり外部電界が消失し、それに応答してイオンによる緩和が起こるために内部電界の発生を抑えることが可能となり、この結果、表示は安定した状態で維持される。
【０１００】
このように、第３ステップにおいて、着色帯電粒子Ｐに移動方向の力を与えるための電界を徐々に取り去ることにより、分散媒中に大きな内部電界の顕在化が生じるのを抑えることができ、これにより押付動作終了時に起こる粒子移動を抑え、表示を更に安定化させることができる。
【図面の簡単な説明】
【０１０１】
【図１】本発明の第１の実施の形態に係る電気泳動表示装置の駆動方法により駆動される電気泳動表示装置に具備される電気泳動表示素子の概略構成を示す図。
【図２】上記電気泳動表示素子の押付電極に電圧を付加したときに押付電極と表示電極の間に生じる電界分布を表す図。
【図３】上記電気泳動表示装置を駆動する第１の駆動方法の駆動波形等を示す図。
【図４】上記第１の駆動方法により電気泳動表示装置を駆動する際、電界分布を示す図。
【図５】上記電気泳動表示装置を駆動する第２の駆動方法の駆動波形等を示す図。
【図６】上記電気泳動表示装置を駆動する第３の駆動方法の駆動波形等を示す図。
【図７】上記電気泳動表示装置を駆動する第４の駆動方法の駆動波形等を示す図。
【図８】上記電気泳動表示装置における画素の構成を説明する図。
【図９】上記画素の等価回路図。
【図１０】上記電気泳動表示装置の配線図。
【図１１】上記電気泳動表示装置の駆動タイミング等を説明する図。
【図１２】上記電気泳動表示素子の内部に電荷の偏りが生じているとき電位の関係を説明する第１の図。
【図１３】上記電気泳動表示素子の内部に電荷の偏りが生じているとき電位の関係を説明する第２の図。
【図１４】上記電気泳動表示素子の内部電界によってイオンと一緒に帯電粒子が移動したときの印加波形と光学応答を示す図。
【図１５】本発明の第２の実施の形態に係る電気泳動表示装置の第１の駆動方法の駆動波形を示す図。
【図１６】上記電気泳動表示装置を駆動する第２の駆動方法の駆動波形等を示す図。
【図１７】上記電気泳動表示装置を駆動する第３の駆動方法の駆動波形等を示す図。
【図１８】上記電気泳動表示装置を駆動する第４の駆動方法の駆動波形等を示す図。
【図１９】上記電気泳動表示装置の駆動タイミング等を説明する図。
【図２０】従来の電気泳動表示素子の一つの画素における電界分布を概念的に示した図。
【符号の説明】
【０１０２】
１        透明基板
２        電極基板
３        隔壁
１０１    コレクト電極
１０２    表示電極
１０３    コレクト電極
１０４    押付電極
１１０    分散媒
７００    画素回路の１ブロック
８０１    コレクタ電極
８０２    表示電極
８０３    コレクタ電極
８０４    押付電極
８１１    薄膜トランジスタ
８１０    分散媒
Ｐ        着色帯電粒子
【図１】
2006284918.tif 000003
【図２】
2006284918.tif 000004
【図３】
2006284918.tif 000005
【図４】
2006284918.tif 000006
【図５】
2006284918.tif 000007
【図６】
2006284918.tif 000008
【図７】
2006284918.tif 000009
【図８】
2006284918.tif 000010
【図９】
2006284918.tif 000011
【図１０】
2006284918.tif 000012
【図１１】
2006284918.tif 000013
【図１２】
2006284918.tif 000014
【図１３】
2006284918.tif 000015
【図１４】
2006284918.tif 000016
【図１５】
2006284918.tif 000017
【図１６】
2006284918.tif 000018
【図１７】
2006284918.tif 000019
【図１８】
2006284918.tif 000020
【図１９】
2006284918.tif 000021
【図２０】
2006284918.tif 000022